(57)【要約】【課題】第三者による不正開封の事実を容易に発見し、また、不正開封を未然に抑止する梱包用バンドストッパホルダを提供する。【解決手段】バンドストッパ４の環部４１を梱包用バンドストッパホルダ３の環部収容室３８に収容した状態で、梱包用バンド５の折り返し部５２をバンド導入口３１０から押し込み、下面３６側を経て上開口３５０に挿通し、上面３５側へ出して撓ませる。バンドストッパ４の腕部４３を折り返し部５２に通してから自由端５１を折り返し方向に引っ張ると、梱包用バンド５が環部４１の内縁と腕部４３との隙間に緊着し、緩みが防止される。そして、自由端を第１端面３１に対応する位置５１’で切断する。第三者が開封しようとすると梱包用バンド５を切断せざるを得ず、はずした梱包用バンド５は寸足らずとなるため、同一の梱包用バンド５を使用して元通りに再梱包することはできない。よって、不正開封の事実を容易に発見することができる。【選択図】図７
2015058948.tif 000002
【特許請求の範囲】
【請求項１】
梱包対象物（９）に周回された梱包用バンド（５）、並びに、
当該梱包用バンドの一方及び他方の端部に取り付けられ、内側に前記梱包用バンドを挿通可能な環部（４１）、及び、当該環部の外側に根元から折り曲げ可能に並んで突出する２本の腕部（４３）を有し、前記梱包用バンドを折り返して前記環部に挿通し当該折り返し部（５２）に前記腕部を通した後、前記梱包用バンドの自由端（５１）を折り返し方向に引っ張ることで前記梱包用バンドを前記環部の内縁と前記腕部との隙間に緊着させ、前記梱包用バンドの緩みを防止するバンドストッパ（４）と共に、
前記梱包対象物の梱包に用いられる梱包用バンドストッパホルダ（３）であって、
前記梱包用バンドの周回方向に沿って互いに反対側を向いて形成され、前記梱包用バンドの一方及び他方の端部がそれぞれ折り返されて導入される第１バンド導入口（３１０）及び第２バンド導入口（３２０）、
前記第１バンド導入口と前記第２バンド導入口との間において前記梱包用バンドの厚さ方向の一方の面である下面（３６）に開口し、前記バンドストッパの前記腕部が前記下面と反対側の面である上面（３５）側に折り曲げ可能なように前記環部が収容される環部収容室（３８）、
前記梱包用バンドの幅方向に開口し前記環部が前記環部収容室に挿入される環部挿入口（３３０、３４０）、並びに、
前記バンドストッパの前記環部の内縁に相当する大きさに形成され、前記下面側から前記上面側に向かって挿通した前記梱包用バンドの前記折り返し部に前記腕部を通した状態で、前記梱包用バンドの幅方向に前記腕部が跨る上開口（３５０）、
を有し、
前記第１バンド導入口及び第２バンド導入口の奥には、前記上面側から前記下面側に向かって傾斜し、前記第１バンド導入口及び第２バンド導入口から押し込まれた前記梱包用バンドの折り返し部（５２）が前記環部収容室の前記下面側に抜け出るように案内する傾斜壁（３７）が形成されていることを特徴とする梱包用バンドストッパホルダ。
【請求項２】
非柔軟性の樹脂材料で一体成形されていることを特徴とする請求項１に記載の梱包用バンドストッパホルダ。
【請求項３】
梱包用バンド（５）と、
梱包対象物（９）に周回された前記梱包用バンドの一方及び他方の端部に取り付けられ、内側に前記梱包用バンドを挿通可能な環部（４１）、及び、当該環部の外側に根元から折り曲げ可能に並んで突出する２本の腕部（４３）を有し、前記梱包用バンドを折り返して前記環部に挿通し当該折り返し部（５２）に前記腕部を通した後、前記梱包用バンドの自由端（５１）を折り返し方向に引っ張ることで前記梱包用バンドを前記環部の内縁と前記腕部との隙間に緊着させ、前記梱包用バンドの緩みを防止するバンドストッパ（４）と、
前記環部を収容し、前記バンドストッパを保持可能な請求項１または２に記載に梱包用バンドストッパホルダ（３）と、
を含む梱包キット（１００）。
【請求項４】
前記梱包用バンドは、固有の自他識別標章（５７）が付されていることを特徴とする請求項３に記載の梱包キット。
【発明の詳細な説明】
【技術分野】
【０００１】
本発明は、梱包用バンド及びバンドストッパと共に、梱包対象物の梱包に用いられる梱包用バンドストッパホルダに関する。
【背景技術】
【０００２】
従来、ダンボール箱、発泡スチロール箱、樹脂製梱包箱等の梱包に用いられるＰＰ（ポリプロピレン）樹脂製の梱包用バンドが知られている（特許文献１参照）。この梱包用バンドは、梱包対象物に周回され、一方及び他方の端部を図４（ａ）に図示するバンドストッパに取り付けることで、緩まないように固定される。
【先行技術文献】
【特許文献】
【０００３】
【特許文献１】特開２００５−１６７９号公報
【発明の概要】
【発明が解決しようとする課題】
【０００４】
梱包用バンド及びバンドストッパを用いて梱包されたダンボール箱等が運送される途中や一時置きされている間に、第三者によって不正に開封され、内容物が盗まれたり、損壊又は汚染されたり、機密情報が漏洩したりすることを防止するセキュリティ面でのニーズがある。
【０００５】
しかし、梱包用バンドをバンドストッパで固定しただけの状態では、梱包用バンドの自由端をバンドストッパ側に押し戻すように撓ませることにより、梱包用バンドを切断することなくはずすことができる。そして、一旦はずした梱包用バンドを再使用し、一見元通りに再梱包することが可能であるため、第三者により不正な開封が行われた事実を容易に発見することができない。また、「元通りに再梱包すれば見つからない」という考えで不正開封を企む者に対して未然に止めさせる抑止力が働かず、セキュリティが不十分なものとなっている。
【０００６】
本発明は、上述の問題に鑑みてなされたものであり、その目的は、第三者による不正開封の事実を容易に発見し、また、不正開封を未然に抑止する梱包用バンドストッパホルダを提供することにある。
【課題を解決するための手段】
【０００７】
本発明は、梱包用バンド及びバンドストッパと共に、梱包対象物の梱包に用いられる梱包用バンドストッパホルダに係る発明である。
ここで、バンドストッパは、梱包対象物に周回された梱包用バンドの一方及び他方の端部に取り付けられ、内側に梱包用バンドを挿通可能な環部、及び、当該環部の外側に根元から折り曲げ可能に並んで突出する２本の腕部を有している。梱包用バンドを折り返して環部に挿通し当該折り返し部に腕部を通した後、梱包用バンドの自由端を折り返し方向に引っ張ることで梱包用バンドを環部の内縁と腕部との隙間に緊着させ、梱包用バンドの緩みを防止する。
【０００８】
この梱包用バンドストッパホルダは、下記の構成を有している。
梱包用バンドの周回方向に沿って互いに反対側を向いて形成され、梱包用バンドの一方及び他方の端部がそれぞれ折り返されて導入される第１バンド導入口及び第２バンド導入口。
第１バンド導入口と第２バンド導入口との間において梱包用バンドの厚さ方向の一方の面である下面に開口し、バンドストッパの腕部が下面と反対側の面である上面側に折り曲げ可能なように環部が収容される環部収容室。
梱包用バンドの幅方向に開口し環部が環部収容室に挿入される環部挿入口。
バンドストッパの環部の内縁に相当する大きさに形成され、下面側から上面側に向かって挿通した梱包用バンドの折り返し部に腕部を通した状態で、梱包用バンドの幅方向に腕部が跨る上開口。
【０００９】
また、第１バンド導入口及び第２バンド導入口の奥には、上面側から下面側に向かって傾斜し、第１バンド導入口及び第２バンド導入口から押し込まれた梱包用バンドの折り返し部が環部収容室の下面側に抜け出るように案内する傾斜壁が形成されていることを特徴とする。
【００１０】
以上の構成の梱包用バンドストッパホルダにおいて、バンドストッパの環部を環部収容室に収容した状態で、梱包用バンドの折り返し部をバンド導入口から押し込むと、折り返し部は、傾斜壁に案内されて環部収容室の下面側に抜け出る。次に、折り返し部を上開口に挿通し、上面側へ出して撓ませる。そして、バンドストッパの腕部を折り返し部に通してから、自由端を折り返し方向に引っ張ると、梱包用バンドが環部の内縁と腕部との隙間に緊着し、緩みが防止される。
このとき、梱包用バンドの自由端は、折り返し部を撓ませた「遊び」の長さ以上、第１バンド導入口が形成された第１端面、及び第２バンド導入口が形成された第２端面から延出している。そこで、自由端を、第１端面及び第２端面に対応する位置で切断し、その状態で運送又は一時置きする。
【００１１】
この状態で、正当な開封権限を有しない第三者が開封しようとすると、自由端が露出しておらず押し戻すことができないため、梱包用バンドを、バンドストッパの腕部の上を跨ぐ部分、又は周回部分の途中で切断せざるを得ない。すると、はずした梱包用バンドそのものは寸足らずとなっているため、同一の梱包用バンドを使用して元通りに再梱包することは不可能である。
したがって、第三者により不正な開封が行われた事実を容易に発見することができる。また、不正開封すれば必ず見つかるということを認識させることで、不正開封を企む者に対して未然に止めさせる抑止力を働かせることができ、セキュリティ性が向上する。言い換えれば、第三者による梱包の開封を阻止する「封印効果」を発揮することができる。
【００１２】
本発明の梱包用バンドストッパホルダは、仮に柔軟性材料で形成すると、捻ったり曲げたりしながら、梱包用バンドを切断しないままはずすことができてしまうおそれがある。そこで、例えばＡＢＳ等の非柔軟性の樹脂材料で一体成形されることが好ましい。また、樹脂材料で一体成形することにより生産性が向上する。
【００１３】
さらに、本発明の対象を、梱包用バンド、バンドストッパ、及び、梱包用バンドストッパホルダを含む「梱包キット」とすることもできる。
その場合、梱包用バンドは、固有の自他識別標章が付されていることが好ましい。この自他識別標章には文字、英数字、記号、イラスト、模様等の他、バンド自体の形状も含まれる。市販の梱包用バンドを使用した場合、不正開封した者が代わりの梱包用バンドを用いて再梱包するおそれがある。そこで、固有の自他識別標章が付された、一般に入手困難な梱包用バンドを用いることで、不正開封の発見容易化及び未然抑止の効果が一層顕著に発揮される。
【図面の簡単な説明】
【００１４】
【図１】本発明の一実施形態による梱包用バンドストッパホルダの（ａ）上面側から視た斜視図、（ｂ）下面側から視た斜視図である。
【図２】図１の梱包用バンドストッパホルダの（ａ）平面図、（ｂ）（ａ）のｂ矢視図、（ｃ）底面図である。
【図３】（ｄ）図２（ａ）のｄ矢視図、（ｅ）図２（ｂ）のｅ−ｅ線断面図、（ｆ）図２（ａ）のｆ−ｆ線断面図である。
【図４】梱包用バンドストッパホルダ、バンドストッパ及び梱包用バンドの組み合わせを示す（ａ）平面図、（ｂ）（ａ）のｂ−ｂ線断面図である。
【図５】梱包用バンドストッパホルダの使用方法を説明する第１段階の図である。
【図６】同第２段階の図である。
【図７】同第３段階の図である。
【図８】（ａ）梱包用バンドストッパホルダを用いてダンボール箱を梱包した状態の図、（ｂ）（ａ）のｂ部拡大図である。
【発明を実施するための形態】
【００１５】
以下、本発明による梱包用バンドストッパホルダ及び梱包キットの実施形態を図面に基づいて説明する。
（一実施形態）
本発明の一実施形態による梱包用バンドストッパホルダの単品構成について図１〜図３を参照し、梱包用バンドストッパホルダに梱包用バンド及びバンドストッパを組み合わせた梱包キットの構成について図４を参照して説明する。
【００１６】
梱包用バンドストッパホルダ３（以下、省略して「ストッパホルダ３」という。）は、ＡＢＳ（アクリルブタジエンスチレン）等の非柔軟性の樹脂材料で略直方体形状に形成されている。ここで、直方体の長手方向をｘ方向、短手方向をｙ方向、高さ方向をｚ方向とする。ストッパホルダ３に梱包用バンド５（図４参照）を導入したとき、ｘ方向は梱包用バンド５が延びる方向、ｙ方向は梱包用バンド５の幅方向、ｚ方向は梱包用バンド５の厚さ方向に相当する。なお、梱包用バンド５は、一般に梱包に使用されるＰＰ（ポリプロピレン）製のバンドである。
【００１７】
図１〜図３に示すように、ストッパホルダ３は、直方体形状の６面にいずれも開口を有している。ｘ方向の第１端面３１及び第２端面３２には、それぞれ第１バンド導入口３１０及び第２バンド導入口３２０が互いに反対側を向いて対称に形成されている。バンド導入口３１０、３２０の幅は、梱包用バンド５の幅よりもわずかに大きく設定されており、バンド導入口３１０、３２０の高さは、梱包用バンド５を折り返した状態で押し込むことができる程度の高さに設定されている。
【００１８】
ｙ方向の側面３３、３４には、環部挿入口３３０、３４０が対称に形成されている。環部挿入口３３０、３４０の幅及び高さは、バンドストッパ４（図４参照）の環部４１の外幅及び高さに対応し、環部４１ががたつきなく挿入されるように設定されている。
環部挿入口３３０、３４０が連通する環部収容室３８は、ｘ方向における第１バンド導入口３１０と第２バンド導入口３２０との間においてｚ方向の下面３６に開口している。下面３６は、両側面３３、３４に沿った部分が一段凹んだ逃がし部３６１になっている。
【００１９】
ｚ方向の上面３５には、バンドストッパ４の環部４１の内縁に相当する大きさの上開口３５０が形成されている。上開口３５０のｙ方向の幅は、梱包用バンド５の幅が挿通可能であり、また、バンドストッパ４の腕部４３が跨ることが可能な長さに設定されている。
第１バンド導入口３１０及び第２バンド導入口の奥には、上面３５側から下面３６側に向かって傾斜する傾斜壁３７が形成されている。傾斜壁３７は、第１バンド導入口３１０及び第２バンド導入口３２０から押し込まれた梱包用バンド５の折り返し部５２が環部収容室３８の下面３６側に抜け出るように案内する。
【００２０】
図４に示すように、バンドストッパ４は、環部４１並びに２組のヒンジ部４２及び腕部４３を有している。環部４１は、梱包用バンド５が挿通可能である。２本の腕部４３は、環部４１の外側に並んで突出しており、ヒンジ部４２によって根元から折り曲げ可能となっている。ヒンジ部４２は、肉薄で、且つ腕部４３と平行な方向にスリットが形成されており、腕部４３の折れ曲がりの自由度を確保している。
環部４１は、ストッパホルダ３の環部挿入口３３０、３４０から環部収容室３８に収容可能となっており、収容した状態では、自重で抜け落ちない程度に保持される。
【００２１】
梱包用バンド５については、ストッパホルダ３の第１端面３１側のバンドのみを図４に示し、第２端面３２側のバンドの図示を省略する、梱包用バンド５は、端部が折り返された状態で、第１バンド導入口３１０に導入される。以下、梱包用バンド５が折り返される部分を「折り返し部５２」、折り返した側の先端を「自由端５１」、折り返す手前の、梱包対象物を周回している部分を「周回部５３」という。
【００２２】
次に、ストッパホルダ３の使用方法について、図５〜図７を参照して説明する。図５、図６では、梱包用バンド５をストッパホルダ３に導入する段階について、第１端面３１側を例として説明する。
図５に示す第１段階では、既にバンドストッパ４の環部４１はストッパホルダ３の環部収容室３８に収容されている。第１バンド導入口３１０から押し込まれた梱包用バンド５の折り返し部５２は、傾斜壁３７に案内されて環部収容室３８の下面３６側に抜け出る。そして、折り返し部５２を、下面３６側から環部４１及び上開口３５０を挿通し、上面３５の上方へ引き上げて撓ませる。
【００２３】
図６に示す第２段階では、腕部４３を垂直よりもやや内側に倒す角度まで折り曲げながら、撓ませた折り返し部５２の中に通す。ここで、バンドストッパ４のヒンジ部４２によって折り曲げの自由度が確保されているため、腕部４３は、ｙ方向だけでなく、ｙ方向に対して傾いた方向にも自在に折り曲がるようになっている。
【００２４】
腕部４３を折り返し部５２に通した後、自由端５１を折り返し方向に引っ張ると、図７に示す第３段階のように、腕部４３が上面３５に当接するまで折れ曲がり、梱包用バンド５の一方の端部が、環部４１の内縁と腕部４３との隙間に緊着される。また、第２端面３２側でも同様に、梱包用バンド５の他方の端部が緊着される。こうして、梱包対象物を周回した梱包用バンド５は、緩まないように固定される。
【００２５】
このとき、梱包用バンド５の自由端５１は、折り返し部５２を撓ませた「遊び」の長さ以上、第１端面３１から延出している。そして、図７に矢印で示すように、梱包用バンド５の自由端５１を第１端面３１に対応する位置５１’で切断する。
なお、図では線が重なるのを避けるため、切断した自由端５１’の位置を第１端面３１の位置から少しずらして記載しているが、現実には、作業上可能な限り、第１端面３１に一致する位置で切断することが好ましい。
第２端面３２側についても、同様に梱包用バンド５の自由端を切断する。
【００２６】
図８に、ストッパホルダ３を以上のように使用して梱包対象物であるダンボール箱９を梱包した状態の図を示す。この状態にあるダンボール箱９を運送中や一時置き中に、正当な開封権限を有しない第三者が不正に開封しようとする状況を仮定する。
梱包用バンド５をバンドストッパ４で固定しただけの状態では、梱包用バンド５の自由端をバンドストッパ４側に押し戻すように撓ませることにより、梱包用バンド５を切断することなくはずすことができる。そして、一旦はずした梱包用バンド５を再使用し、一見元通りに再梱包することが可能であるため、第三者により不正な開封が行われた事実を容易に発見することができない。また、「元通りに再梱包すれば見つからない」という考えで不正開封を企む者に対して未然に止めさせる抑止力が働かない。
【００２７】
それに対し、本実施形態のストッパホルダ３を使用して梱包した場合、自由端５１’が第１端面３１、第２端面３２に対応する位置で切断されているため、バンドストッパ４側に押し戻すことができない。したがって、開封するためには、［１］バンドストッパ４の腕部４３の上を跨ぐ部分、又は、［２］周回部分の途中で梱包用バンド５を切断せざるを得ない。すると、はずした梱包用バンド５そのものは、切断されて寸足らずとなっているため、同一の梱包用バンド５を使用して元通り再梱包することは不可能である。
【００２８】
さらに本実施形態では、梱包用バンド５に固有の自他識別標章５７として、数字の列が付されている。この自他識別標章５７は、市販されており一般に入手可能な梱包用バンド
とは異なる梱包当事者のみのオリジナルの梱包用バンド５であることを示している。したがって、不正に開封した第三者が、たとえ市販の梱包用バンドを代替品として用いて再梱包したとしても、正規の梱包用バンドでないことが一見して明らかであるため、不正開封が行われたことが容易に推認される。
【００２９】
このように、本実施形態のストッパホルダ３を用いて梱包すれば、第三者による不正開封の事実を確実に発見することができ、また、不正開封を未然に抑止することができるため、セキュリティ性が向上する。言い換えれば、第三者による梱包の開封を阻止する「封印効果」を発揮することができる。
【００３０】
また、正当な開封権限を有する者が開封するときは、単純に梱包用バンド５を切断すればよく、特別な道具等を用いる開封作業を必要としないため、利便性を損なわない。さらに、切断した梱包用バンド５を使い捨てにする他には、ストッパホルダ３及びバンドストッパ４は再使用することができるので経済的である。
【００３１】
（その他の実施形態）
（ア）上記実施形態のストッパホルダ３は、第１端面３１、第２端面３２、両側面３３、３４がいずれも平面であり、平面視が略長方形のシンプルな形状に形成されている。この形態に限らず、両側面を曲面とする楕円形や、両側面を多段面とする多角形など、デザイン性を追求した形状としてもよい。
【００３２】
（イ）上記実施形態のストッパホルダ３のように樹脂で一体成形するものに限らず、複数の部品を組み合わせてストッパホルダを構成してもよい。例えば、色の異なる部品同士を組み合わせることで、多色デザインの製品とすることができる。
【００３３】
（ウ）上記実施形態のストッパホルダ３は、両側面３３、３４に環部挿入口３３０、３４０が形成されており、いずれの方向からもバンドストッパ４の環部４１を挿入できるという点で作業性に優れている。しかし、環部挿入口を片方のみに形成し、環部４１の挿入方向を一方向としてもよい。これにより、成形金型のスライドコアの数を減らすことができる。
【００３４】
（エ）梱包用バンドに付される固有の自他識別標章は、文字や英数字の他、記号、イラスト、模様等でもよい。或いは、バンドの縁をギザギザにするなど、バンド自体の形状を自他識別標章としてもよい。一見して目に付きやすく、且つ、第三者による複製又は偽造が困難な梱包用バンドを用いることで、不正開封の確実な発見及び未然防止という本発明の効果を最大限に発揮することができる。
【００３５】
（オ）梱包対象物としては、ダンボール箱の他、発泡スチロール箱、樹脂製梱包箱等に幅広く使用することができる。
以上、本発明はこのような実施形態に限定されるものではなく、発明の趣旨を逸脱しない範囲において、種々の形態で実施することができる。
【符号の説明】
【００３６】
１００・・・梱包キット、
３    ・・・梱包用バンドストッパホルダ、
３１  ・・・第１端面、  ３１０・・・第１バンド導入口、
３２  ・・・第２端面、  ３２０・・・第２バンド導入口、
３３０、３４０・・・環部挿入口、
３５  ・・・上面、      ３５０・・・上開口、    ３６  ・・・下面、
３７  ・・・傾斜壁、    ３８  ・・・環部収容室、
４    ・・・バンドストッパ、  ４１  ・・・環部、    ４３  ・・・腕部、
５    ・・・梱包用バンド、    ５１  ・・・自由端、  ５２  ・・・折り返し部、
９    ・・・ダンボール箱（梱包対象物）。
【図１】
2015058948.tif 000003
【図２】
2015058948.tif 000004
【図３】
2015058948.tif 000005
【図４】
2015058948.tif 000006
【図５】
2015058948.tif 000007
【図６】
2015058948.tif 000008
【図７】
2015058948.tif 000009
【図８】
2015058948.tif 000010